(57)【要約】【課題】ユーザが通信しようとする意思を持って動作する通信システムを提供する。【解決手段】第１の通信装置１０には、人の熱を受けて発電する第１の熱発電素子１１により発電された電力を受けて所定電圧へ昇圧する第１の微弱電圧昇圧ＩＣ１２と、この第１の微弱電圧昇圧ＩＣ１２の電圧が与えられると動作開始する第１の通信手段と、この第１の通信手段が動作開始となると所要の情報を前記第１の通信手段により送信させる第１の通信制御手段とが備えられ、前記第２の通信装置２０には、前記第１の通信装置から送信された前記所要の情報を受信する第２の通信手段と、前記第２の通信手段が受信した前記所要の情報に基づき予め定められた処理を行う処理部５１とが備えられている。【選択図】図２
2020047997.tif 000002
【特許請求の範囲】
【請求項１】
第１の通信装置と、この第１の通信装置との間で通信する第２の通信装置とを具備する通信システムであって、
前記第１の通信装置には、人の熱を受けて発電する第１の熱発電素子と、前記第１の熱発電素子により発電された電力を受けて所定電圧へ昇圧する第１の微弱電圧昇圧回路と、この第１の微弱電圧昇圧回路の電圧が与えられると動作開始する第１の通信手段と、この第１の通信手段が動作開始となると所要の情報を前記第１の通信手段により送信させる第１の通信制御手段とが備えられ、
前記第２の通信装置には、前記第１の通信装置から送信された前記所要の情報を受信する第２の通信手段と、前記第２の通信手段が受信した前記所要の情報に基づき予め定められた処理を行う処理部とが備えられていることを特徴とする通信システム。
【請求項２】
前記第１の通信手段と前記第２の通信手段とは、ＢＡＮ（Body Area Network）通信方式により通信を行うことを特徴とする請求項１に記載の通信システム。
【請求項３】
前記第２の通信装置には、人の熱を受けて発電する第２の熱発電素子と、前記第２の熱発電素子により発電された電力を受けて所定電圧へ昇圧する第２の微弱電圧昇圧回路とが備えられ、
前記第２の通信手段は、前記第２の微弱電圧昇圧回路の電圧が与えられると動作開始することを特徴とする請求項１または２に記載の通信システム。
【請求項４】
前記第２の通信装置には、この第２の通信装置内の各部へ常時電力供給する電源が備えられていることを特徴とする請求項１または２に記載の通信システム。
【請求項５】
前記第１の通信装置または前記第２の通信装置の少なくとも一方には、認証を行う認証部が設けられ、この認証部の認証結果に基づき前記第１の通信制御手段の動作または前記処理部の動作を許可・不許可することを特徴とする請求項１乃至４のいずれか１項に記載の通信システム。
【請求項６】
前記第１の通信装置または前記第２の通信装置の少なくとも一方には、第３の通信手段が備えられ、
前記第３の通信手段により予め定められた通信先へ、前記第１の通信装置または前記第２の通信装置により処理を行ったことを送信することを特徴とする請求項１乃至５のいずれか１項に記載の通信システム。
【請求項７】
前記第１の通信装置または前記第２の通信装置には、生体情報を収集する生体情報収集手段が備えられ、
前記第１の通信手段または前記第２の通信手段から、前記生体情報を送信するようにしたことを特徴とする請求項１乃至６のいずれか１項に記載の通信システム。
【発明の詳細な説明】
【技術分野】
【０００１】
この発明は、第１の通信装置と、この第１の通信装置との間で通信する第２の通信装置とを具備する通信システムに関するものである。
【背景技術】
【０００２】
従来、人体近傍のエリアで行う近距離無線を用いた通信システムにおいては、誤った起動によって、気付かない間に不特定多数の人に通信が行われてしまう恐れがある。機械式のボタンを実装した場合は、電源のオンオフを行うためにユーザの手間がかかり、サイズやコスト面でも不利となる。
【０００３】
更に、セキュリティシステムを導入した場合、未使用時の省電力化が重要であるが、こまめに電源オンオフ制御することはが難しい。また、多く利用されている加速度センサ、近接センサで人の動作によって電源を起動するシステムは、容易に実現できるが、誤起動が発生しやすく省電力に課題がある。
【０００４】
特許文献１には、人体を伝送路とする通信装置が開示されている。通信装置間に人が居ない場合に通信が行われないようにできると思われる。この発明では、人体を伝送路とする以外に、アンテナにより無線通信を行うことによりアンテナ性能の劣化を抑制しようとするものである。通信装置間に人が居ない場合に通信が行われないようにできると思われる。
【０００５】
特許文献２には、ユーザの人体が生体通信のために触れる部位の付近から生体通信の状態を取得することが開示されている。具体的には、人が触れたときに、データ通信が行われていることを振動や熱により伝えるというものである。
【０００６】
更に、非特許文献１には、人体を伝送路とすることにより様々な形態のシステムが可能であることが開示されている。この方式の通信によって、測定器で生体情報を測定し、その生体情報を患者が持っている端末へ送ることが開示されている。
【先行技術文献】
【特許文献】
【０００７】
【特許文献１】国際公開第２０１１／１１１１２０号
【特許文献２】特開２００７−２８８６０２号公報
【非特許文献】
【０００８】
【非特許文献１】品川満、「人の体を伝送路とする通信技術」、２００９年、映像情報メディア学会誌、Ｖｏｌ．６３、Ｎｏ．１１、ｐｐ．１５２５〜１５３０
【発明の概要】
【発明が解決しようとする課題】
【０００９】
上記従来例では、人体を伝送路としたり生体情報の収集が行われたりするものの、ユーザが通信しようとする意思を持ったときに動作するシステムとはなっておらず、意図しない通信を抑制させることは行われていない。
【００１０】
実施形態では、ユーザが通信しようとする意思を持ったときに動作する通信システムを提供する。
【課題を解決するための手段】
【００１１】
実施形態に係る通信システムは、第１の通信装置と、この第１の通信装置との間で通信する第２の通信装置とを具備する通信システムであって、前記第１の通信装置には、人の熱を受けて発電する第１の熱発電素子と、前記第１の熱発電素子により発電された電力を受けて所定電圧へ昇圧する第１の微弱電圧昇圧回路と、この第１の微弱電圧昇圧回路の電圧が与えられると動作開始する第１の通信手段と、この第１の通信手段が動作開始となると所要の情報を前記第１の通信手段により送信させる第１の通信制御手段とが備えられ、前記第２の通信装置には、前記第１の通信装置から送信された前記所要の情報を受信する第２の通信手段と、前記第２の通信手段が受信した前記所要の情報に基づき予め定められた処理を行う処理部とが備えられていることを特徴とする。
【図面の簡単な説明】
【００１２】
【図１】本発明の第１の実施形態に係る通信システムが適用される状況の概略構成を説明する図。
【図２】本発明の第１の実施形態に係る通信システムの構成を示すブロック図。
【図３】本発明の第２の実施形態に係る通信システムの構成を示すブロック図。
【図４】本発明の第３の実施形態に係る通信システムの構成を示すブロック図。
【図５】本発明の第４の実施形態に係る通信システムの構成を示すブロック図。
【図６】本発明の第５の実施形態に係る通信システムの構成を示すブロック図。
【発明を実施するための形態】
【００１３】
以下、添付図面を参照して本発明に係る通信システムの実施形態を説明する。各図において、同一の構成要素には、同一の符号を付して重複する説明を省略する。図１に、第１の実施形態に係る通信システムの第１の通信装置１０と第２の通信装置２０の配置構成図を示す。例えば、手すりやレバーなどのように人が手で握り易い手握部品４１が設けられた機器４０に第１の通信装置１０が備えられ、第１の熱発電素子１１が上記手握部品４１の表面に設けられている。第２の通信装置２０は、人Ｐが携帯する携帯端末によって構成される。
【００１４】
第１の実施形態に係る通信システムの機能ブロック図を図２に示す。第１の通信装置１０には、第１の熱発電素子１１と、第１の微弱電圧昇圧ＩＣ１２と、第１の通信手段である送信部１３とを備える。第１の熱発電素子１１は、例えばペルチェ素子などにより構成されるもので、人の熱を受けて発電する。ここでは、手握部品４１の外面位置に第１の熱発電素子１１の加熱面が設けられ、人Ｐが加熱面に触れると冷却面との温度差に応じて電流が流れ、電圧を取り出すことができる。
【００１５】
第１の微弱電圧昇圧ＩＣ１２は、上記第１の熱発電素子１１により発電された電力を受けて所定電圧へ昇圧する微弱電圧昇圧回路の一例である。第１の微弱電圧昇圧ＩＣ１２は、電圧昇圧部１２Ｂと電圧制御部１２Ａとから構成され、電圧制御部１２Ａにおいて昇圧する電圧を設定し、この設定に基づいて電圧昇圧部１２Ｂが昇圧を行う。上記第１の熱発電素子１１により発電された電圧は４０ｍＶ以下であるのに対し、第１の微弱電圧昇圧ＩＣ１２により昇圧された後には１．０Ｖや５．０Ｖなど、通常の電子装置の電源電圧として用いることができる程度まで昇圧される。
【００１６】
第１の微弱電圧昇圧ＩＣ１２により昇圧された電圧は、送信部１３へ与えられる。送信部１３は、第１の微弱電圧昇圧ＩＣ１２の電圧を受けて動作開始して送信を行う。送信部１３には、第１の通信制御手段１６が接続されている。第１の通信制御手段１６は、第１の通信手段である送信部１３が動作開始となると所要の情報を上記送信部１３により送信させるものである。第１の通信制御手段１６には、送信メッセージ記憶部１５が備えられている。
【００１７】
送信メッセージ記憶部１５には、第２の通信装置２０へ送信して表示させるメッセージが記憶される。送信メッセージ記憶部１５への記憶はパーソナルコンピュータを接続する等して行うことができ、送信メッセージ記憶部１５から送信部１３への出力は、送信メッセージ記憶部１５がコントローラ機能を持つものとすることにより実現可能である。従って送信メッセージ記憶部１５は、第１の通信手段である送信部１３が動作開始となると所要の情報を上記第１の通信手段である送信部１３により送信させる第１の通信制御手段１６の要部として機能する。送信メッセージ記憶部１５に記憶されるメッセージの内容には、特に限定はないが、職場などに用いるならば本日の予定や伝達事項などを挙げることができる。送信メッセージ記憶部１５の電力は、第１の熱発電素子１１による発電に基づく電力以外に別に設けられた電源から供給するようにしても良い。
【００１８】
第２の通信装置２０は、第２の通信手段である受信部２１と、上記第２の通信手段である受信部２１が受信した上記所要の情報に基づき予め定められた処理を行う処理部５１が設けられている。処理部５１は、スマートフォンやＰＤＡ（パーソナルディジタルアシスタント）などの携帯端末主要部構成５２とすることができ、表示部５３を備える。
【００１９】
このように構成された第１の実施形態では、通信方式はＢＡＮ（Body Area Network）とすることができ、手握部品４１を握るなどした人の身体を介して第１の通信装置１０から第２の通信装置２０へ送信がなされる。
【００２０】
以上の構成の通信システムでは、人が手握部品４１を握るなどした場合には、第１の熱発電素子１１による発電が行われ、第１の微弱電圧昇圧ＩＣ１２による電圧の昇圧が行われ、送信部１３への電圧供給がなされる。そこで、送信メッセージ記憶部１５に記憶されているメッセージが送信メッセージ記憶部１５から送信部１３へ出力される。送信部１３からは送信メッセージ記憶部１５から出力されたメッセージが送信される。
【００２１】
メッセージは受信部２１により受け取られ、携帯端末主要部構成５２へ送られる。携帯端末主要部構成５２はメッセージを表示データとして表示部５３へ送ってメッセージの表示を行う。メッセージは携帯端末主要部構成５２に保存しておき、必要なときに携帯端末主要部構成５２へ指示を与えて表示部５３に表示するようにしても良い。
【００２２】
この構成により、ユーザが意図的に手握部品４１を握るなどの操作をしない限りメッセージ送信が行われることなく、しかも第１の通信装置１０と第２の通信装置２０とがＢＡＮ通信方式により通信を行うので、他人に送信内容を知られることなく、適切にメッセージを第２の通信装置２０において得ることができる。
【００２３】
次に、第２の実施形態に係る通信システムを説明する。第２の実施形態に係る通信システムの機能ブロック図を図３に示す。
【００２４】
本実施形態では、第２の通信装置２０Ａに、第２の熱発電素子２５と第２の微弱電圧昇圧ＩＣ２６が設けられている。第２の熱発電素子２５の加熱面は、第２の通信装置２０の例えば筐体外壁に設けられる。第２の熱発電素子２５は、第１の熱発電素子１１に等しく、第２の微弱電圧昇圧ＩＣ２６は第１の微弱電圧昇圧ＩＣ１２に等しいもので、微弱電圧昇圧回路の一例である。第２の微弱電圧昇圧ＩＣ２６は、電圧昇圧部２６Ｂと電圧制御部２６Ａとから構成され、電圧制御部２６Ａにおいて昇圧する電圧を設定し、この設定に基づいて電圧昇圧部２６Ｂが昇圧を行う。従って、第２の熱発電素子２５の加熱面に人が触れると冷却面との温度差に応じて電流が流れ、電圧を取り出すことができ、第２の微弱電圧昇圧ＩＣ２６で所定電圧まで昇圧され、第２の通信手段である受信部２１へ電源供給される。受信部２１は、この電源供給によって動作を開始する。
【００２５】
本実施形態に係る通信システムでは、人が手握部品４１を握るなどした場合には、第１の熱発電素子１１による発電が行われ、送信部１３からは送信メッセージ記憶部１５から出力されたメッセージが送信されるまでの動作は第１の実施形態と同様である。
【００２６】
人が手握部品４１を握るなどした場合とほぼ同時に、第２の通信装置２０における第２の熱発電素子２５の加熱面に人が手を触れるなどする。これによって、第２の熱発電素子２５による発電が行われ、第２の微弱電圧昇圧ＩＣ２６による電圧の昇圧が行われ、受信部２１への電圧供給がなされる。
【００２７】
上記の結果、受信部２１が動作するので、メッセージは受信部２１により受け取られ、携帯端末主要部構成５２へ送られる。携帯端末主要部構成５２はメッセージを表示データとして表示部５３へ送ってメッセージの表示を行う。メッセージは携帯端末主要部構成５２に保存しておき、必要なときに携帯端末主要部構成５２へ指示を与えて表示部５３に表示するようにしても良いことは、第１の実施形態と同様である。この第２の実施形態では、スリープモード（一定時間以上操作や受信等がないとき、電源オフとするモード）のときに第２の熱発電素子２５によって発電された電力により、メッセージは携帯端末主要部構成５２に保存するまでの動作を行うようにしても良い。
【００２８】
これによって、第１の実施形態の効果に加えて、第２の通信装置２０Ａにおいて第２の熱発電素子２５の加熱面に人が手を触れるなどの操作を行わない限り、メッセージを受信することがなく、不要なデータを受けることがなく、電力の消費を抑えることができる。
【００２９】
次に、第３の実施形態に係る通信システムを説明する。第３の実施形態に係る通信システムの機能ブロック図を図４に示す。第１の通信装置１０Ａが認証部１４を有し、認証結果が適正であれば送信許可信号が送信部１３へ出力され、認証結果が不適正であれば送信不許可信号が送信部１３へ出力される。これにより、この認証部１４の認証結果に基づき上記第１の通信制御手段である送信メッセージ記憶部１５の動作が許可・不許可される。
【００３０】
認証部１４は、顔認証、指紋認証、静脈認証などどのような手法を採用するものであっても良い。認証部１４には、図１の機器４０の使用を許可された人の比較情報が記憶されており、入力された情報との比較を行い、認証結果を出力する。本実施形態の構成によれば、第１の通信装置１０における第１の熱発電素子１１の加熱面に機器４０の使用を許可されていない第３者の手などが触れたとしても、メッセージ送信がされことなく、不正な使用を防ぐことができる。
【００３１】
この実施形態では、第１の通信装置１０Ａに認証部１４を設けたが、第２の通信装置２０Ａに認証部１４と同じ認証部を設けて、この認証部の認証結果に基づき上記処理部５１の動作を許可・不許可するも良い。このような構成によれば、第２の通信装置２０Ａについても不正者によってメッセージ受信が行われることが無く安全である。第１の実施形態、第２の実施形態において、同様に認証部１４を第１の通信装置と第２の通信装置の少なくとも一方に設けても良い。更に、第１の通信装置１０Ａには、第３の通信手段である通信部を送信部１３に接続して設け、予め登録された電話番号へ或いはメールアドレスの通信先装置（例えば、警備会社等）へメッセージ送信が生じた（前記第１の通信装置または前記第２の通信装置により処理を行ったこと）ことを報知しても良い。このようにすると、よりセキュリティーの強化を図ることができる。
【００３２】
予め登録された電話番号へ或いはメールアドレスの通信先装置（例えば、警備会社等）へメッセージ送信が生じた（当該装置において処理を行った）ことを送信する構成は、本実施形態の第２の通信装置２０Ａに設けても良いし、第１の実施形態、第２の実施形態において、第１の通信装置と第２の通信装置の少なくとも一方に設けても良い。
【００３３】
次に第４の実施形態を説明する。図５に第４の実施形態の通信システムの構成図を示す。本実施形態の第１の通信装置１０Ｂは、図２に示した第１の実施形態の第１の通信装置１０の構成に対し、生体情報収集手段１８、記憶手段１９が設けられている処理部１６Ａを有する点が異なり、その他は同様の構成である。生体情報収集手段１８は、生体情報を収集するもので、例えば、体温、心拍数、心電図信号などを収集する。収集する電極やセンサに該当する構成は第１の通信装置１０Ｂの外部に設けても良い。収集は適宜な時刻行われ、収集したデータはこのユーザＩＤ共に記憶手段１９に記憶される。また、第１の通信装置１０Ｂは、図１の構成と異なり、ユーザが携帯するか腕に巻かれるなどのウエアラブルな状態とできる構成を有する。更に、第１の熱発電素子１１の加熱面は、第１の通信装置１０Ｂの表面などに通常はユーザの身体に触れない側に設けられる。
【００３４】
第２の通信装置２０Ｂは、図２に示した第１の実施形態の第２の通信装置２０の構成に対し、第１の実施形態の処理部５１が、パーソナルコンピュータ程度のコンピュータ部５５によって構成された処理部５１Ａによって構成されており、コンピュータ部５５が少なくとも表示部５３を備えるものである。第２の通信装置２０Ｂは、職場などの健康管理部や、病院内のナースセンタなど、地域の健康管理センタに配置することができる。
【００３５】
この構成によれば、生体情報収集手段１８が所定時刻などに生体情報を収取し、記憶手段１９に記憶している。第１の通信装置１０Ｂのユーザは適宜なときに第１の熱発電素子１１の加熱面に手を触れるなどしてこの面の温度を高める。第１の熱発電素子１１の加熱面が加熱されると、第１の熱発電素子１１による発電が行われ、第１の微弱電圧昇圧ＩＣ１２による電圧の昇圧が行われ、送信部１３への電圧供給がなされる。そこで、記憶手段１９に記憶されている生体情報がユーザＩＤと共に送信部１３へ出力される。
【００３６】
送信部１３からはユーザＩＤと共に生体情報が送信される。生体情報収集手段１８や記憶手段１９の電力は、第１の熱発電素子１１による発電に基づく電力以外に別に設けられた電源から供給するようにしても良い。
【００３７】
ユーザＩＤを含む生体情報は第２の通信装置２０Ｂの受信部２１により受け取られ、コンピュータ部５５へ送られる。コンピュータ部５５は、ユーザＩＤを含む生体情報を保存しておき、必要なときの指示に応えて表示部５３に表示する。コンピュータ部５５はユーザＩＤを含む生体情報を受け取ったときに、表示データとして表示部５３へ送って生体情報の表示を行うようにしても良い。
【００３８】
この第４の実施形態における第２の通信装置２０Ｂの受信部２１に対する電源供給の構成は、第２の実施形態のように構成することもできる。また、認証部や予め登録された電話番号へ或いはメールアドレスの通信先装置へ、生体情報の送信が生じた（当該装置において処理を行った）ことを送信する構成は、適宜設けることができる。
【００３９】
次に第５の実施形態を説明する。図６に第５の実施形態の通信システムの構成図を示す。上記第４の実施形態では第１の通信装置１０Ｂにおいて生体情報を収集し、第２の通信装置２０Ｂへ送って蓄積等するようにした。この第５の実施形態では、図６に示されるように、第２の通信装置２０Ｄにおいて生体情報を収集し、第１の通信装置１０Ｄにおいて生体情報の送信要求を第２の通信装置２０Ｄへ送り、第２の通信装置２０Ｄから生体情報を集める構成としても良い。第１の通信装置１０Ｄでは第１の通信手段として送受信部１３Ａが設けられ、第２の通信装置２０Ｄでは、第２の通信手段として送受信部２１Ａが設けられる。
【００４０】
第２の通信装置２０Ｄの処理部５１Ｂに生体情報収集手段５７、記憶手段５６が設けられている。第１の通信装置１０Ｄの処理部１６Ｂに、コンピュータ部６１と、少なくとも表示部６２を備える。この構成では、生体情報収集手段５７が所定時刻などに生体情報を収集しユーザＩＤと共に、記憶手段５６に記憶している。
【００４１】
第１の通信装置１０Ｄのユーザは適宜なときに第１の熱発電素子１１の加熱面に手を触れるなどして、第１の熱発電素子１１の加熱面が加熱されると、第１の熱発電素子１１による発電が行われ、第１の微弱電圧昇圧ＩＣ１２による電圧の昇圧が行われ、送受信部１３Ａへの電圧供給がなされる。これにより送受信部１３Ａからは生体情報の送信要求信号が送信され、送受信部２１Ａが受け取る。
【００４２】
送受信部２１Ａにおいて、生体情報の送信要求信号を受け取り、この内容に基づき処理を実行する。即ち、送受信部２１Ａは、記憶手段５６に記憶された生体情報をユーザＩＤと共に読み出し送信する。この生体情報はユーザＩＤと共に、送受信部１３Ａが受け取り、コンピュータ部６１へ送る。コンピュータ部６１は、ユーザＩＤを含む生体情報を保存しておき、必要なときの指示に応えて表示部６２に表示する。コンピュータ部６１はユーザＩＤを含む生体情報を受け取ったときに、表示データとして表示部６２へ送って生体情報の表示を行うようにしても良い。
【００４３】
以上のようにして第２の通信装置２０Ｄの利用者の手を煩わせることなく、第２の通信装置２０Ｄにおいて収集してある生体情報等の情報を、第１の通信装置１０Ｄ側の主導で的確に入手することができる。なお、この第５の実施形態において、第１の通信装置と第２の通信装置に認証部も設けることは適宜なされても良い。また、第２の通信装置に、予め登録された電話番号へ或いはメールアドレスの通信先装置へ、処理部の処理がなされた旨の通知を行うようにしても良い。
【００４４】
また、以上において、第１の通信装置または第２の通信装置が、熱発電素子により発電した電力による電源で動作するように構成された実施形態では、熱発電素子により発電した電力を受けて起動したときに行う通信等の動作については、この熱発電素子による発電電力を用いるようにし、この起動時以外の動作を行う構成要素に対しては、熱発電素子に基づく電源以外の別電源を設けて動作させるようにすることができる。
【００４５】
また、上記の実施形態では、機器４０に第１の通信装置１０が備えられ、第１の熱発電素子１１が上記手握部品４１の表面に設けられているような構成を示したが、例えば交通機関の電車やバスなどの吊り輪や手摺りの一部に第１の通信装置に相当する構成を設け、この第１の通信装置にメインコンピュータ等から遅延情報や乗換情報等を熱発電素子に基づく電源以外の別電源を適宜起動させて受け取らせて保存更新させておき、吊り輪や手摺りを乗客が掴んだ場合に熱発電素子が発電して、上記情報を乗客が携帯している第２の通信装置へ送って、情報を伝えるシステムを構築することができる。
【符号の説明】
【００４６】
１０、１０Ａ、１０Ｂ、１０Ｄ  第１の通信装置
１１  第１の熱発電素子
１２  第１の微弱電圧昇圧ＩＣ
１２Ｂ  電圧昇圧部
１２Ａ  電圧制御部
１３  送信部
１３Ａ  送受信部
１４  認証部
１５  送信メッセージ記憶部
１６、１６Ａ、１６Ｂ  処理部
１８  生体情報収集手段
１９  記憶手段
２０、２０Ａ、２０Ｂ、２０Ｄ  第２の通信装置
２１  受信部
２１Ａ  送受信部
２５  第２の熱発電素子
２６  第２の微弱電圧昇圧ＩＣ
２６Ｂ  電圧昇圧部
２６Ａ  電圧制御部
５１、５１Ａ、５１Ｂ  処理部
５２  携帯端末主要部構成
５３  表示部
５５  コンピュータ部
５６  記憶手段
５７  生体情報収集手段
６１  コンピュータ部
６２  表示部
【図１】
2020047997.tif 000003
【図２】
2020047997.tif 000004
【図３】
2020047997.tif 000005
【図４】
2020047997.tif 000006
【図５】
2020047997.tif 000007
【図６】
2020047997.tif 000008